(57)【要約】【課題】照明ＢＯＸの内部熱を抑え、省電力光源と充電池により停電時、電源遮断時でも使用できる照明器具を提供する事。【解決手段】省電力、低発熱、軽量のＬＥＤ・ＲＧＢ合成ＬＥＤ・ＥＬ管・冷陰極管等を使用し制約を軽減する。点灯は商用電源を整流し駆動する。通電すると同時に自動充電し、停電時等には瞬時に充電池で点灯駆動するので、多機能照明器具として汎用できる。【選択図】図３
2007164986.tif 000002
【特許請求の範囲】
【請求項１】
木質筐体内部に高輝度ＬＥＤを設置した、木質汎用省電力薄型照明ＢＯＸ。
【請求項２】
木質筐体内部にＲＧＢ合成ＬＥＤを設置した、木質汎用省電力薄型照明ＢＯＸ。
【請求項３】
木質筐体内部にＥＬ管ライトを設置した、木質汎用省電力薄型照明ＢＯＸ。
【請求項４】
木質筐体内部に冷陰極管を設置した、木質汎用省電力薄型照明ＢＯＸ。
【請求項５】
請求項１〜請求項４のいずれかに記載の木質汎用省電力薄型照明ＢＯＸにおいての点灯装置は、筐体内部・筐体外部にて商用電源交流を整流し、動作電力とする回路を設置した木質汎用省電力薄型照明ＢＯＸ。
【請求項６】
点灯用大容量充電池を予備電源として設置した、木質汎用省電力薄型照明ＢＯＸ。
【請求項７】
請求項６に記載の木質汎用省電力薄型照明ＢＯＸにおいて自動充電装置を設置した木質汎用省電力薄型照明ＢＯＸ。
【発明の詳細な説明】
【技術分野】
【０００１】
この発明は木質汎用省電力薄型照明ＢＯＸに関するものである。
この装置は消費電力が少なく発熱量も少ない高輝度ＬＥＤ・ＲＧＢ合成ＬＥＤ・ＥＬ管ライト・冷陰極管等を光源として点灯駆動する。電力の供給は商用電源を主電源として点灯駆動するが、商用電源が遮断された場合には、設置された大容量充電池により自動点灯する事が可能である。
また、この大容量充電池は、設置された充電器により商用電源や太陽電池等を介し自動充電される。
【背景技術】
【０００２】
従来の、木質照明ＢＯＸは既製品の蛍光管や白熱電球等を別途に取り付けている。
また、長時間の点灯は照明器具からの発熱により木質筐体内部は温度の上昇よって火災等に対する危険性が高まる為、根本的な対策が必要である。
上記の従来技術の問題点を整理すると、次の通りである。
従来の木質照明ＢＯＸは、蛍光管・白熱電球等が使用されている為、この木質筐体内部に温度の上昇があり設置する場所に安全対策上の問題が生じ易い。
従来の木質照明ＢＯＸは、商用電源が断たれた場合には照明器具として機能しない。
従来の木質照明ＢＯＸは、照明器具が既製品仕様寸法の為に薄型化が非常に難しい。
従来の木質照明ＢＯＸは、照明器具が既製品仕様寸法の為に照明器具寸法に
合わせて作られている。従って、設置場所の汎用性は乏しい。
【０００３】
上記の改善策として、省電力で発熱量が少ない、高輝度ＬＥＤ・ＲＧＢ合成ＬＥＤ・ＥＬ管ライト・冷陰極管等を光源として使用する事で器具の維持費や安全性が向上し、デザイン性も自由化する。また、省電力なので商用電源が遮断された場合でも、装備された充電池で十分点灯駆動させる事が可能となる。
【特許文献１】特開２００４−２９６２４９号公報
【特許文献２】特開２００４−１７９０４８号公報
【特許文献３】特開２００５−３１０８９６号公報
【発明の開示】
【発明が解決しようとする課題】
【０００４】
そこでこの発明の木質汎用省電力薄型照明ＢＯＸでは前記した課題、問題を以下のように解消しようとするものである。
この発明の木質汎用省電力薄型照明ＢＯＸは、高輝度ＬＥＤ・ＲＧＢ合成ＬＥＤ・ＥＬ管ライト・冷陰極管等の使用により照明器具の温度上昇を、低く抑える事が可能となる。
この発明の木質汎用省電力薄型照明ＢＯＸは、商用電源が断たれた場合に於いても設置された充電器が商用電源や太陽電池等を介して自動充電された、大容量充電池を予備電源として自動的に点灯駆動する。
この発明の木質汎用省電力薄型照明ＢＯＸは、厚みの薄い高輝度ＬＥＤ・ＲＧＢ合成ＬＥＤ・ＥＬ管ライト・冷陰極管等により木質筐体の厚みを薄くできる事が特徴である。
この発明の木質汎用省電力薄型照明ＢＯＸは、小面積の高輝度ＬＥＤ・ＲＧＢ合成ＬＥＤ・ＥＬ管ライト・冷陰極管等を使用して、縦横配列や配置等が自由化できる事により
木質筐体の汎用性は画期的に向上する。
【発明の効果】
【０００５】
この発明の木質汎用省電力薄型照明ＢＯＸは、高輝度ＬＥＤ・ＲＧＢ合成ＬＥＤ・ＥＬ管ライト・冷陰極管等を光源として使用する事によって、消費電力が抑えられ節電になる事と供に発熱量も低く抑えられ、長時間の点灯に於いても木質筐体の温度に対する安全性は素晴らしく向上する。
【発明を実施するための最良の形態】
【０００６】
この発明の木質汎用省電力薄型照明ＢＯＸは、高輝度ＬＥＤ・ＲＧＢ合成ＬＥＤ・ＥＬ管ライト・冷陰極管等を使用する事で消費電力が極めて少ない。従って、過電流や短絡により商用電源ブレーカー遮断した場合や停電の際には、大容量充電池の予備電源でも瞬時に駆動し復旧する事が可能となる。また、短時間の停電時に於いても点灯を維持できる。
この発明の木質汎用省電力薄型照明ＢＯＸは、予備電源の充電に関しても自動充電であり、また、高輝度ＬＥＤ・ＲＧＢ合成ＬＥＤ・ＥＬ管ライト・冷陰極管等の寿命も長時間のため、維持管理に関わる経費は大幅に削減できる。
この発明の木質汎用省電力薄型照明ＢＯＸは、高輝度ＬＥＤ・ＲＧＢ合成ＬＥＤ・ＥＬ管ライト・冷陰極管等を使用する事で、省電力型の薄型に電源回路が設計できるので、光源と共にコンパクトになる。従って、木質筐体の厚みを従来の木質筐体と比較して２分の１以下にする事が可能となる。
この発明の木質汎用省電力薄型照明ＢＯＸは、高輝度ＬＥＤ・ＲＧＢ合成ＬＥＤ・ＥＬ管ライト・冷陰極管等と大容量充電池・省電力の薄型電源回路の組み合わせによりコンパクト化ができる事により、天井面・薄壁面・床面・階段面・クローゼット・収納家具類等への汎用性が拡がる。
【０００７】
以下、この発明の木質汎用省電力薄型照明ＢＯＸを図面に基づき詳細説明する。
図１は、木質汎用省電力薄型照明ＢＯＸの木質筐体例を立体図で示す。
図２は、木質汎用省電力薄型照明ＢＯＸ側面の例を概略縦断面図で示す。
図３は、木質汎用省電力薄型照明ＢＯＸ内部の例を照明カバー兼用光源拡散板の外した状態の概略平面図で示す。
先ず、図１の例において木質汎用省電力薄型照明ＢＯＸの木質筐体は、照明カバー兼用の光源拡散板１・面付け額縁枠２・側板３・底板４の部品で構成されている。
図２と図３の例において木質汎用省電力薄型照明ＢＯＸの木質筐体内部の高輝度ＬＥＤ９は、反射板兼用のプリント基板１１と電気的に接続されている。
この反射板兼用プリント基板１１は、通電ブリッジ１０と電気的に接続され、可変式光源ユニットを構成する。
図２と図３の例において木質汎用省電力薄型照明ＢＯＸの木質筐体内部の整流ユニット５は、プリント基板を介し通電ブリッジ１０と電気的に接続されている。
図２と図３の例において木質汎用省電力薄型照明ＢＯＸの木質筐体内部の自動充電ユニット１２は、電源切り換えリレー７と電気的に接続され、商用電源通電時には、大容量充電池８と電気的に接続され自動充電をする。
図２と図３の例において木質汎用省電力薄型照明ＢＯＸの木質筐体外部より配線された、１００ボルト電源コード６は商用電源の外部スイッチを介して通電し、整流ユニット５・自動充電ユニット１２・電源切り換えリレー７と並列で電気的に接続されている。
図２と図３の例において木製汎用省電力薄型照明ＢＯＸの木製筐体内部の大容量充電池８は、電源切り換えリレー７と電気的に接続され、１００ボルト電源コード６からの通電が断たれた場合には、電源切り換えリレー７は自動充電ユニット１２をパスして、プリント基板を介し通電ブリッジ１０に通電する。
【実施例１】
【０００８】
図１は、本発明装置の実施例の斜め概観図である。  
【実施例２】
【０００９】
図２は、本発明装置の断面図である。
【実施例３】
【００１０】
図３は、本発明装置の設置概観である。
【産業上の利用可能性】
【００１１】
本発明は、過熱の心配もなく、形状等においても制約が少なく、デザイン性に富んだ製品を供給できる。外部からの電力供給のみに依存していた従来の照明器具と異なり、予備電源を持つ事による付加価値は非常に大きい。使用される場所の範囲は非常に広範なものとなる。
【図面の簡単な説明】
【００１２】
【図１】木質汎用照明装置の概観図である。
【図２】木質汎用照明装置の断面図である。
【図３】木質汎用照明装置を上部から、内部器具の設置状況を示した図である。
【符号の説明】
【００１３】
１  照明カバー兼光源拡散板                ２  面付け額縁枠
３  側板                                  ４  底板
５  整流ユニット                          ６  電源コード
７  電源切り替えリレー                    ８  大容量充電池
９  ＬＥＤ                              １０  通電ブリッジ
１１  反射板兼用プリント基板              １２  自動充電ユニット
【図１】
2007164986.tif 000003
【図２】
2007164986.tif 000004
【図３】
2007164986.tif 000005